(57)【要約】      （修正有）【課題】塗膜の施工作業の簡略、及び塗料の無駄を軽減し、もって施工コスト減が可能となされた新規な建築物構造を提供する。【解決手段】  建築物本体２の外壁２１及び屋根２２が、下塗り材３１と上塗り材３２とからなる積層構造の塗膜３によって被覆されてなる建築物構造１において、上塗り材３２を、建築物本体２の外壁２１及び屋根２２において共通の塗料の乾燥被膜にて形成する。【選択図】図１
0003221739.tif 000002
【実用新案登録請求の範囲】
【請求項１】
建築物本体の外壁及び屋根が塗膜によって被覆されてなる建築物構造であって、
前記塗膜が、前記外壁の表面又は前記屋根の表面に塗工された下塗り材と、前記下塗り材の上から塗工された上塗り材とからなる積層構造となされ、
前記上塗り材が、前記建築物本体の外壁及び屋根において共通の塗料の乾燥被膜にて形成されてなることを特徴とする建築物構造。
【請求項２】
請求項１に記載の建築物構造において、
前記外壁又は前記屋根のいずれか一方又は両方の塗膜の上に、前記上塗り材に光沢を与える仕上げ材が塗工されてなる建築物構造。
【考案の詳細な説明】
【技術分野】
【０００１】
本考案は、建築物本体の外壁及び屋根が塗膜によって被覆されてなる建築物構造に関する。
【背景技術】
【０００２】
家屋やマンション、ビル等の建築物の外壁や屋根には、その表面（露出面）に耐候性や装飾を付与するための塗膜が被覆される。通常、この種の塗膜は屋根や外壁に塗られた塗料の乾燥被膜によって構築されており、外壁や屋根に直接的に塗工された下塗り材と、前記下塗り材の上から塗工された上塗り材とからなる積層構造の塗膜が一般的となっている（例えば、下記特許文献１参照。）。
【先行技術文献】
【特許文献】
【０００３】
【特許文献１】特開２００８‐２０８７０８号公報
【考案の概要】
【考案が解決しようとする課題】
【０００４】
従来、建築物の外壁や屋根を塗膜にて被覆するにあたっては、外壁や屋根の素材に応じた下塗り材を塗工したうえで、外壁については外壁専門の上塗り材を塗工し、屋根については屋根専門の上塗り材を塗工していた。
【０００５】
しかしながら、外壁と屋根の各々において異なる上塗り材を施工すると、屋根や外壁それぞれの箇所において塗料の希釈作業等の下準備が必要となり施工作業が煩雑となる。又、外壁と屋根の各々において異なる上塗り材を施工すると、相対的に塗料の無駄が多くなり、施工コスト増の原因にもなる。
【０００６】
本考案は前記技術的課題に鑑みて開発されたものであり、塗膜の施工作業の簡略、及び塗料の無駄を軽減し、もって施工コスト減が可能となされた新規な建築物構造を提供することを目的とする。
【課題を解決するための手段】
【０００７】
前記技術的課題を解決するための本考案の建築物構造は、建築物本体の外壁及び屋根が塗膜によって被覆されてなる建築物構造であって、前記塗膜が、前記外壁の表面又は前記屋根の表面に塗工された下塗り材と、前記下塗り材の上から塗工された上塗り材とからなる積層構造となされ、前記上塗り材が、前記建築物本体の外壁及び屋根において共通の塗料の乾燥被膜にて形成されてなることを特徴とする（以下、「本考案建築物構造」と称する。）。
【０００８】
前記本考案建築物構造においては、前記外壁又は前記屋根のいずれか一方又は両方の塗膜の上に、前記上塗り材に光沢を与える仕上げ材が塗工されてなるものが好ましい態様となる。
【考案の効果】
【０００９】
本考案によれば、簡単な施工作業によって塗膜を形成することができ、施工コストが減じられた本考案建築物構造を提供することができる。
【図面の簡単な説明】
【００１０】
【図１】図１は、本考案建築物構造の一実施形態を示す斜視図と、外壁及び屋根について部分的に拡大した断面図である。
【図２】図２は、本考案建築物構造の他の実施形態を示す斜視図と、外壁及び屋根について部分的に拡大した断面図である。
【考案を実施するための形態】
【００１１】
以下、本考案建築物構造の実施形態を説明するが、本考案はこれらの実施形態に限定されるものではない。
【００１２】
［本考案建築物構造（１）］
図１に、本考案建築物構造１の一実施形態を示す。前記本考案建築物構造１は、「建築物本体（２）」の外壁２１及び屋根２２が、「塗膜（３）」によって被覆された構造を有する。
【００１３】
＜建築物本体２＞
前記建築物本体２は、外壁２１と屋根２２とを伴う構造物を意味する。本考案において、前記建築物本体２には、家屋やマンション等の現住建築物のみならず、商業用施設としてのビル等の非現住建築物も含まれる。本実施形態においては、表面が窯業系サイディングボード面となされた外壁２１と、表面が化粧スレート屋根面となされた屋根２２と、を具備する二階建て家屋を前記建築物本体２として選択した。
【００１４】
＜塗膜３＞
前記塗膜３は、主として、前記建築物本体２の外壁２１や屋根２２に対し、耐候性や装飾を付与する役割を担う。前記塗膜３は、塗料の乾燥被膜であり、前記外壁２１の表面又は前記屋根２２の表面に塗工された下塗り材３１と、前記下塗り材３１の上から塗工された上塗り材３２とからなる積層構造を有する。
【００１５】
‐下塗り材３１‐
本考案において前記下塗り材３１は、前記外壁２１や前記屋根２２の素材に応じて適宜選択される。本実施形態においては、前記外壁２１に対する下塗り材３１（Ａ）を構築するための塗料として、窯業系サイディングボード用の下塗り塗料（株式会社新日本化研製  商品名：ＮＥＷポリマーガード）を用い、前記屋根２２に対する下塗り材３１（Ｂ）を構築するための塗料として、スレート屋根用の下塗り塗料（株式会社新日本化研製  商品名：ポリマーガードＥＰＯ）を用いた。
【００１６】
‐上塗り材３２‐
そして、本考案においては、前記上塗り材３２が、前記建築物本体２の外壁２１及び屋根２２において共通の塗料にて形成される。本実施形態においては、前記外壁２１及び前記屋根２２に上塗り材３２を構築するための塗料として、ターペン可溶系塗料（株式会社新日本化研製  商品名：プレミアムクリーン）を用いた。
【００１７】
前記構成を有する本考案建築物構造１は、前記上塗り材３２が、前記建築物本体２の外壁２１及び屋根２２において共通の塗料にて形成されているから、前記外壁２１及び前記屋根２２に対する前記上塗り材３２の施工作業の準備（例えば、希釈作業等）を同時に行うことができる。又、前記外壁２１と前記屋根２２の各々に対して共通の塗料による上塗り材を施工すれば、相対的に塗料の無駄が少なくなり、施工コストを減じることができる。
【００１８】
これより、塗膜３の施工作業が簡略化されると共に塗料の無駄が軽減された本考案建築物構造１は、施工コストが減じられたものとなる。
【００１９】
なお、本実施形態においては、前記外壁２１に対する下塗り材３１（Ａ）を構築するための塗料として、窯業系サイディングボード用の下塗り塗料（株式会社新日本化研製  商品名：ＮＥＷポリマーガード）を用い、前記屋根２２に対する下塗り材３１（Ｂ）を構築するための塗料として、スレート屋根用の下塗り塗料（株式会社新日本化研製  商品名：ポリマーガードＥＰＯ）を用いているが、前記下塗り材３１を構築するための塗料は、前記外壁２１や前記屋根２２の素材に応じて適宜選択すれば良く、特に限定されない。例えば、前記外壁２１の表面が金属系サイディングボード面となされている場合や、前記屋根２２の表面が鋼板屋根面やトタン屋根面となされている場合には、金属用の下塗り塗料等（例えば、株式会社新日本化研製  商品名：ポリマーガードメタル）を用いて前記下塗り材３１を構築すれば良い。
【００２０】
又、本実施形態においては、前記外壁２１及び前記屋根２２に対して、直接的に前記下塗り材３１を塗工しているが、前記下塗り材３１の塗工に先立ち、前記外壁２１及び前記屋根２２の表面研磨等の下地調整や補修塗りを行っても良い。
【００２１】
更に、本実施形態においては、前記上塗り材３２を構築するための塗料として、ターペン可溶系塗料（株式会社新日本化研製  商品名：プレミアムクリーン）を用いているが、前記上塗り材３２を構築するための塗料は特に限定されない。但し、本実施形態において用いた塗料（株式会社新日本化研製  商品名：プレミアムクリーン）は、外壁２１及び屋根２２の各々において塗膜３に要求される下記（１）〜（８）の性能を兼ね備えており、従って、前記外壁２１及び前記屋根２２に施工される上塗り材３２を構築するための塗料として非常に有益である。
【００２２】
（１）耐候性
一般の塗膜は、紫外線や降雨などの影響を受け続けると、塗膜表面の樹脂が徐々に破壊され、もともとあった光沢等が喪失していくが、本実施形態において用いた塗料（株式会社新日本化研製  商品名：プレミアムクリーン）によって構築された塗膜３では、配合されたＵＶナノテクトによって紫外線の影響を減じることができ、もって、樹脂劣化や色あせを防ぎ、耐久性、美粧性をより長期的に持続させることができる。
【００２３】
（２）断熱性
本実施形態において用いた塗料（株式会社新日本化研製  商品名：プレミアムクリーン）によって構築された塗膜３は、熱伝導率が非常に低い（京都電子工業株式会社製  ＱＴＭ‐５００にて測定された熱伝導率が０．２５以下）。
【００２４】
（３）遮熱性
又、本実施形態において用いた塗料（株式会社新日本化研製  商品名：プレミアムクリーン）によって構築された塗膜３は、前記断熱性に加えて遮熱性（高日射反射率）に優れるため、係る塗料を上塗り材とする塗膜３を金属系の外壁２１や屋根２２に形成すると、表面温度を２０度前後低下させることができる。
【００２５】
（４）防汚性
更に、本実施形態において用いた塗料（株式会社新日本化研製  商品名：プレミアムクリーン）によって構築された塗膜３は、親水性が高い（水触媒角が３０度以下）ため、その表面に水がなじみやすく、油をはじきやすい性質を有する。そのため、その表面に雨水が流れても油汚れが付着し難く、筋状の「雨筋汚れ」ができにくい。
【００２６】
（５）防黴（カビ）性
本実施形態において用いた塗料（株式会社新日本化研製  商品名：プレミアムクリーン）によって構築された塗膜３には、カビの発生を好適に防止する性質を有している。例えば、従来のフッ素樹脂塗料によって形成された塗膜につき２週間程度で黴や藻の発生が認められるところ、本実施形態において用いた塗料（株式会社新日本化研製  商品名：プレミアムクリーン）によって構築された塗膜３では、施工１月半経過の後も黴や藻の発生は認められなかった。
【００２７】
（６）防水性
本実施形態において用いた塗料（株式会社新日本化研製  商品名：プレミアムクリーン）によって構築された塗膜３は、強固な防水性を発現する。
【００２８】
（７）透湿性
その一方で、本実施形態において用いた塗料（株式会社新日本化研製  商品名：プレミアムクリーン）によって構築された塗膜３は、良好な透湿性を有し、結露の発生や塗膜３のリフティング（浮きや剥離）が生じにくいものとなる。
【００２９】
（８）環境性
そして、本実施形態において塗膜３を構築するために用いた塗料（株式会社新日本化研製  商品名：プレミアムクリーン）は、ホルムアルデヒドやクロルビリホス等を含まず、又、鉛等の重金属も含まれていないため、塗膜３の施工時や施工後に環境へ与える悪影響が非常に少ないものとなる。
【００３０】
ところで、本実施形態においては、前記塗膜３につき、前記外壁２１の表面又は前記屋根２２の表面に塗工された下塗り材３１と、前記下塗り材３１の上から塗工された上塗り材３２とからなる積層構造（二層構造）としているが、前記下塗り材３１や前記上塗り材３２を複数回重ね塗りした積層構造（多層構造）としても良い。
【００３１】
又、図２に示すように、前記外壁２１又は前記屋根２２のいずれか一方又は両方の塗膜３の上に、前記上塗り材３２に光沢を与える仕上げ材４を塗工しても良い。
【００３２】
なお、本考案は、その精神又は主要な特徴から逸脱することなく、他のいろいろな形態で実施することができる。そのため、上述の実施例はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００３３】
本考案は、施工コスト減が可能となされた建築物構造として好適に用いられる。
【符号の説明】
【００３４】
１  本考案建築物構造（建築物構造）
２  建築物本体
２１  外壁
２２  屋根
３  塗膜
３１  下塗り材
３２  上塗り材
４  仕上げ材
【図１】
0003221739.tif 000003
【図２】
0003221739.tif 000004